(57)【要約】【課題】画像データを用いた操作性の良い頭出し機能を安価に実現する。【解決手段】ハードディスクドライブに記録したファイルを検索し、各ファイルの記号データを読み込んで、インデックス情報としてメモリに格納する。このインデックス情報を、画面上に文字データのインデックスとして並べて表示する。カーソルで選択したインデックスに対応する画像のみを背景に表示する。縮小画面を作成する必要がなく、処理の負荷を軽減でき、装置を簡略化して製造コストを低減できる。【選択図】        図１
2004363836.tif 000002
【特許請求の範囲】
【請求項１】
記録手段に記録された複数の動画データを検索し、
検索された各動画データに付与された記号データを読み込み、
これら複数の記号データを画面上に配置して選択可能とし、
１個の記号データが選択された状態で、選択された記号データを付与した動画データの画像を表示された記号データの背景に表示し、
再生の指示が入力された状態で、選択されている記号データを付与した動画データを再生する
ことを特徴とする頭出し方法。
【請求項２】
記号データの背景に表示される画像は、動画データの先頭のデータを静止画表示する
ことを特徴とする請求項１記載の頭出し方法。
【請求項３】
記録された複数の動画データを再生可能な記録手段と、
画面上に記号を表示する記号表示手段と、
画面上の表示を選択可能な選択操作手段と、
再生を指示する再生操作手段と、
前記記録手段に記録された複数の動画データを検索し、検索された各動画データに付与された記号データを読み込み、これら複数の記号データを画面上に配置して前記選択操作手段により選択可能とし、１個の記号データが選択された状態で、選択された記号データを付与した動画データの画像を表示された記号データの背景に表示するとともに、前記再生操作手段が操作された際に、選択されている記号データを付与した動画データを再生する制御手段と
を具備したことを特徴とする再生装置。
【請求項４】
記録手段は、ハードディスクドライブを備える
ことを特徴とする請求項３記載の再生装置。
【発明の詳細な説明】
【０００１】
【発明の属する技術分野】
本発明は、例えば、ハードディスクドライブなどの記録手段に記録した複数の画像データから所望の画像データを容易に頭出しできる頭出し方法及び再生装置に関する。
【０００２】
【従来の技術】
従来、テレビ番組などの多数の画像データを、ハードディスクなどの大容量の記録媒体に記録及び再生可能な記録再生装置が知られている。そして、このような記録再生装置において、操作者の利便性を図り、図４に示すように、画面１に複数のサムネイル（小画面）２を表示する頭出し方法が知られている。この頭出し方法は、専用のＬＳＩなどを用いて、画像データを縮小したサムネイルと呼ばれる画像データを作成し、操作者は、１画面内に並べて表示された複数のサムネイルのいずれかを選択して再生ボタンなどを操作することにより、サムネイルに関連づけられた画像データを再生できるようになっている（例えば、特許文献１参照。）。
【０００３】
【特許文献１】
特開２００２−１００１６８号公報
【０００４】
【発明が解決しようとする課題】
しかしながら、上記従来のように、複数のサムネイルを作成して表示する構成では、専用のＬＳＩが必要になるなどして、製造コストが上昇する問題を有している。また、複数のサムネイルを処理するため、処理の負荷が大きくなり、表示に時間がかかるなどの問題を有している。
【０００５】
本発明は、このような点に鑑みなされたもので、簡略な構成で製造コストを低減できる頭出し方法及び再生装置を提供することを目的とする。
【０００６】
【課題を解決するための手段】
請求項１記載の頭出し方法は、記録手段に記録された複数の動画データを検索し、検索された各動画データに付与された記号データを読み込み、これら複数の記号データを画面上に配置して選択可能とし、１個の記号データが選択された状態で、選択された記号データを付与した動画データの画像を表示された記号データの背景に表示し、再生の指示が入力された状態で、選択されている記号データを付与した動画データを再生するものである。
【０００７】
そして、この構成では、動画の再生時の頭出しについて、画像データを縮小したサムネイルを作成する必要がなく、処理の負荷が小さくなるため、簡略な構成で装置の製造コストが低減されるとともに、処理に要する時間が短くなり、操作感が向上する。
【０００８】
請求項２記載の頭出し方法は、請求項１記載の頭出し方法において、記号データの背景に表示される画像は、動画データの先頭のデータを静止画表示するものである。
【０００９】
そして、この構成では、画像データを縮小したサムネイルを作成する必要がなく、単に動画データの１枚目の画像を静止画表示すればよいため、処理の負荷が小さくできる。
【００１０】
請求項３記載の再生装置は、記録された複数の動画データを再生可能な記録手段と、画面上に記号を表示する記号表示手段と、画面上の表示を選択可能な選択操作手段と、再生を指示する再生操作手段と、前記記録手段に記録された複数の動画データを検索し、検索された各動画データに付与された記号データを読み込み、これら複数の記号データを画面上に配置して前記選択操作手段により選択可能とし、１個の記号データが選択された状態で、選択された記号データを付与した動画データの画像を表示された記号データの背景に表示するとともに、前記再生操作手段が操作された際に、選択されている記号データを付与した動画データを再生する制御手段とを具備したものである。
【００１１】
そして、この構成では、動画の再生時の頭出しについて、画像データを縮小したサムネイルを作成する必要がなく、処理の負荷が小さくなるため、簡略な構成で装置の製造コストが低減されるとともに、処理に要する時間が短くなり、操作感が向上する。
【００１２】
請求項４記載の再生装置は、請求項３記載の再生装置において、記録手段は、ハードディスクドライブを備えるものである。
【００１３】
そして、この構成では、簡略な構成で製造コストを低減できる頭出しが可能なハードディスクレコーダが構成される。
【００１４】
【発明の実施の形態】
以下、本発明の頭出し方法及び再生装置の一実施の形態を図面を参照して説明する。
【００１５】
図３において、１０は再生装置としての画像信号記録再生装置であるハードディスクレコーダで、このハードディスクレコーダ１０は、記録手段としてのハードディスクドライブ１１、制御手段を構成するＣＰＵ１２、一時記憶手段であるメモリ（ＲＡＭ）１４、記号表示手段としてのＯＳＤ（オンスクリーンディスプレイ）装置１７、及び選択操作手段を構成する上下の矢印ボタン１８，１９及び再生操作手段を構成する再生ボタン２０などを備えた操作部２１などを備えている。さらに、このハードディスクレコーダ１０は、エンコーダ２３及びデコーダ２４などを備えたコーデック２５、ビデオデコーダ２６、ビデオエンコーダ２７、チューナユニット２８、アンテナ入力端子２９ａ、外部入力端子２９ｂ、外部出力端子２９ｃなどを備えている。なお、以下、主としてビデオ（動画）信号の流れについて説明するが、オーディオ（音声）信号についてもビデオ信号と同様に処理されている。
【００１６】
そして、このハードディスクレコーダ１０では、チューナユニット２８の出力あるいは外部入力端子２９ｂから入力されたアナログの動画データが、ビデオデコーダ２６でデジタル化され、さらに、コーデック２５のエンコーダ２３で符号化して圧縮され、ハードディスクドライブ１１に記録される。また、ハードディスクドライブ１１から出力された動画データは、コーデック２５のデコーダ２４で復号化して伸張され、ビデオエンコーダ２７でアナログ化され、外部出力端子２９ｃから出力され、接続したテレビなどに表示される。ここで、コーデック２５は、周波数変換、量子化、符号化などを行うもので、周波数変換には、例えば、離散ウェーブレット変換（ＤＷＴ）あるいは離散コサイン変換（ＤＣＴ）などを用い、符号化には、算術符号化などを用い、ＪＰＥＧ２０００規格に準じた形式で圧縮伸張を行う。
【００１７】
また、全体の制御は、操作者（ユーザー）による操作部２１の操作などに基づきＣＰＵ１２が行う。さらに、このＣＰＵ１２の制御に基づき、ＯＳＤ装置１７が記号（キャラクタ）を生成し、画面の任意の位置にチャンネルや設定などの情報を表示する。
【００１８】
すなわち、記録（録画）時には、操作者が操作部２１の録画ボタンを操作すると、テレビ番組などのコンテンツをコーデック２５のエンコーダ２３で符号化して圧縮された動画データがファイルとしてハードディスクドライブ１１に記録される。また、各ファイルには、動画データとともに、記録時の時間などの情報が記号データである文字データとして自動的に記録される。さらに、各ファイルには、動画データとともに、操作者が任意に入力したタイトルなどの情報が記号データである文字データとして記録される。
【００１９】
一方、再生時には、以下に説明する画像データを用いた頭出し方法であるインデックス機能により任意のファイルすなわち動画データを選択し、操作部２１の再生ボタン２０を操作することにより、当該動画データがハードディスクドライブ１１から読み出され、コーデック２５のデコーダ２４で復号化して伸張され、ビデオエンコーダ２７でアナログ化して、テレビなどに表示できる。
【００２０】
次に、図１及び図２を参照してインデックス機能について説明する。
【００２１】
まず、インデックス機能が呼び出された状態で、あるいは、電源投入時、ファイル記録時などに予め、ハードディスクドライブ１１に記録されたファイルを検索して、画像データ及び画像データの情報を記録したファイル数を読み込み（ステップ１）、各ファイルの先頭アドレスの記号データを読み込んで、インデックス情報としてメモリ１４に格納する（ステップ２）。次いで、このインデックス情報を所定の順番で並べ、先頭のインデックス情報から１画面に表示できる分をＯＳＤ装置１７により画面３０に並べて表示する（ステップ３）。ここで、表示するインデックス３１〜３５は、例えば、自動的に記録される記録（録画）日時及びチャンネルや、操作者が入力したタイトルであり、１画面に縦に５番組分並べて配置する。さらに、表示した複数のインデックス３１〜３５の内、１番目、すなわち縦に並べた場合には一番上のインデックス３１を選択した状態とし、強調表示や反転表示などを行う。言い換えると、カーソル４０をトップに設定する（ステップ４）。次いで、選択されたインデックス３１に対応する画像データの先頭の１画面すなわち１フレームあるいは１フィールドを読み込み、図２（ａ）に示すように、表示したインデックスと重ねて、すなわちインデックスの背景として静止画で画像３１ａを表示する（ステップ５）。
【００２２】
次いで、ＣＰＵ１２は、操作者による矢印ボタン１８，１９すなわちカーソルの操作及び再生ボタン２０の押動すなわち再生の実行操作を監視し、カーソルの移動がなく（ステップ６）、再生の実行操作がある場合には（ステップ７）、インデックスの表示を消すとともにカーソルで選ばれた動画データの再生を開始する（ステップ８）。
【００２３】
また、矢印ボタン１８，１９が操作された場合、すなわちカーソルの移動が指示された場合には（ステップ６）、画面内でカーソルを移動できるかを確認し、すなわち、現在のカーソルの位置が上端で上方向の操作がなされたかあるいは下端で下方向の操作がなされたかを確認し（ステップ９）、画面内でカーソルを移動できる場合には、指示された方向にカーソルを移動させ、インデックスの表示を更新する（ステップ１０）。次いで、選択されたインデックスに対応する画像データの先頭の１画面を読み込み、図２（ｂ）あるいは図２（ｃ）に示すように、表示したインデックスと重ねて表示する（ステップ５）。
【００２４】
一方、ステップ９において、カーソルの移動が画面を跨ぐ場合には、表示すべきファイル情報データを更新し（ステップ１１）、次の一画面分のインデックス情報を画面に並べて表示する（ステップ３）。
【００２５】
このように、ハードディスクドライブ１１のような大容量の記憶媒体を用いた記録再生装置では、記録された多数の動画データから所望の動画データを選択する頭出し方法が問題となるが、本実施の形態によれば、例えばピクチャーインデックスとも呼ばれる、記号データと画像データとで動画を選択できるハードディスクレコーダ１０に適した画像データを用いた操作性の良い頭出し機能であるインデックス機能を簡便かつ安価に提供することができる。
【００２６】
すなわち、本実施の形態では、通常再生装置には必ず備えられているＯＳＤ装置１７などを用いて表示できる記号データすなわち記号データの他、１画面に表示される画像は１つであり、しかも、この画像は、フレーム単位で画像データをそのまま利用した原寸の静止画であるため、縮小表示などの処理が不要であり、画像スケーラなどの専用ＬＳＩなどを備える必要がなくとも高速な処理が可能であり、追加の装置が不要で製造コストを低減できる。
【００２７】
また、処理の負荷を小さくでき、記録媒体に記録された複数の画像コンテンツのデータ名などの表示を瞬時に表示でき、インデックスのスクロールを高速にして、軽快な操作感を実現できる。表示に要する時間を短くでき、特に、カーソルの移動が画面を跨ぐ場合においても、他の場合と同様に短い時間で表示が可能であり、操作感を向上できる。
【００２８】
また、画面上には、選択した画像のみが表示されるため、選択したコンテンツである動画データを明確に示すことができる。
【００２９】
なお、上記の実施の形態では、記録手段としてハードディスクドライブ１１を用いた例を説明したが、この構成に限られず、記録手段としては、半導体メモリや各種磁気ディスクや光ディスクを用いることができる。例えば、記録手段を構成する記録媒体としては、ＣＤ−ＲＯＭ、ＤＶＤ、ＤＶＤ−ＲＯＭ、ＨＤＤ、ＲＡＭ、ＲＯＭなどを用いることができる。
【００３０】
また、上記の実施の形態では、選択されたインデックス３１に対応して静止画を表示したが、この構成に限られず、選択されたインデックス３１に対応する画像データを動画として表示することもできる。そして、動画を表示する場合には、次の操作がされるまで画像データを連続して再生しても良く、あるいは、所定の区間のみを繰り返し再生することもできる。
【００３１】
また、上記の実施の形態では、画面３０上に上下にインデックス３１〜３５を並べて表示し、また、インデックス表示の更新時には、カーソルを上端（トップ）のインデックスに移動したが、この構成に限られず、適宜の配置あるいは構成とすることができる。例えば、インデックス表示の更新時には、カーソルを下端のインデックスに移動することもできる。
【００３２】
【発明の効果】
請求項１記載の頭出し方法によれば、動画の再生時の頭出しについて、画像データを縮小したサムネイルを作成する必要がなく、処理の負荷を小さくできるため、簡略な構成で装置の製造コストを低減できるとともに、処理に要する時間を短くでき、操作感を向上できる。
【００３３】
請求項２記載の頭出し方法によれば、請求項１記載の効果に加え、画像データを縮小したサムネイルを作成する必要がなく、単に動画データの１枚目の画像を静止画表示すればよいため、処理の負荷を小さくできる。
【００３４】
請求項３記載の再生装置によれば、動画の再生時の頭出しについて、画像データを縮小したサムネイルを作成する必要がなく、処理の負荷を小さくできるため、構成を簡略化して装置の製造コストを低減できるとともに、処理に要する時間を短くでき、操作感を向上できる。
【００３５】
請求項４記載の再生装置によれば、請求項３記載の効果に加え、簡略な構成で製造コストを低減できる頭出しが可能なハードディスクレコーダが構成される。
【図面の簡単な説明】
【図１】本発明の頭出し方法及び再生装置の一実施の形態の動作を示すフローチャートである。
【図２】同上頭出し方法の画面を示す説明図である。
【図３】同上再生装置の構成図である。
【図４】従来の頭出し方法の画面を示す説明図である。
【符号の説明】
１０    再生装置としてのハードディスクレコーダ
１１    記録手段としてのハードディスクドライブ
１２    制御手段を構成するＣＰＵ
１７    記号表示手段としてのＯＳＤ装置
１８，１９    選択操作手段を構成する矢印ボタン
２０    再生操作手段を構成する再生ボタン
３０    画面
３１    記号データ
３１ａ    画像
【図１】
2004363836.tif 000003
【図２】
2004363836.tif 000004
【図３】
2004363836.tif 000005
【図４】
2004363836.tif 000006